(57)【要約】【課題】塗布液注出孔の部分にのみ塗布液Ｌが滞留せずに櫛板の各対向空間部における根元部分から先端部分まで塗布液が行き渡るようにして頭髪に塗布されない部分が生じず、塗布ムラの無い均一な塗布ができるようにすることにある。【解決手段】塗布液充填容器２０の注出用開口部２１に取付けられる注出用筒体部２の天板部３に複数枚の櫛板４を対向立設した櫛付注出口において、容器の注出用開口部２１に連通する塗布液注出用孔５が孔設され、該注出用孔５は各対向空間部４ａの１つ置きに天板部上面より高い位置に設けられ、あるいは各々櫛板４の内部に塗布液注出用孔５が孔設され、長い櫛板と短い櫛板とを１つ置きに対向立設した。【選択図】図１
2004024776.tif 000002
【特許請求の範囲】
【請求項１】
塗布液充填容器の注出用開口部に取付けられる注出用筒体部の天板部に複数枚の櫛板を対向立設した櫛付注出口において、対向立設した前記櫛板の各対向空間部内の注出用筒体部の天板部に、容器の注出用開口部に連通する塗布液注出用孔が孔設され、該注出用孔は各対向空間部の１つ置きに天板部上面より高い位置に設けられていることを特徴とする櫛付注出口。
【請求項２】
塗布液充填容器の注出用開口部に取付けられる注出用筒体部の天板部に複数枚の櫛板を対向立設した櫛付注出口において、対向立設した前記各々櫛板内部又は所定の櫛板内部の立設基部から先端部に、容器の注出用開口部に連通する塗布液注出用孔が孔設され、各々櫛板は長い櫛板と短い櫛板とを１つ置きに対向立設されていることを特徴とする櫛付注出口。
【請求項３】
塗布液充填容器の注出用開口部に取付けられる注出用筒体部の天板部に複数枚の櫛板を対向立設した櫛付注出口において、対向立設した前記櫛板の所定対向空間部内又は各対向空間部内の注出用筒体部の天板部と、各々櫛板内部又は所定の櫛板内部の立設基部から先端部に、容器の注出用開口部に連通する塗布液注出用孔が孔設され、各々櫛板は長い櫛板と短い櫛板とを１つ置きに対向立設されていることを特徴とする櫛付注出口。
【発明の詳細な説明】
【０００１】
【発明の属する技術分野】
本発明は、適宜容器に充填包装された整髪剤や養毛剤、毛染め剤などの塗布剤を容器から注出して、頭髪など細線状体に塗布するための塗布用櫛を備えた櫛付注出口に関する。
【０００２】
【従来の技術】
整髪剤や養毛剤あるいは毛染め剤などの頭髪に塗布して使用される塗布液を充填包装した容器の注出口には、頭髪を櫛にて梳かしながら均一に塗布できるように、櫛付の注出口が使用されている。
【０００３】
従来の櫛付注出口は、図３の側面図に示すように、塗布液Ｌを充填した容器２０の上部開口部２１に、密封状態で螺着又は凹凸嵌合方式にて密封状態に連結して取付けられる取付用筒体部１の上部１ａに注出用筒体部２を備え、該注出用筒体部２の上部に該筒体部２を封鎖する天板部３を備え、該天板部３上面に複数枚の櫛板４が垂直に立設しているものである。
【０００４】
上記櫛付注出口１０は、例えば図４（ａ）の拡大側断面図に示すように、各々櫛板４内には、容器２０の開口部２１から取付用筒体部１と注出用筒体部２とに連通する垂直孔５が孔設され、該櫛板４の先端部には、垂直孔５の先端から各櫛板４の対向空間部４ａに向かって横方向に塗布液注出用の横孔５ａが孔設されている。
【０００５】
容器２０から塗布液Ｌを注出して、頭髪に塗布する際は、フレキシブルな容器２０の側面を手で握り押圧するか、容器２０を傾けることにより、塗布液Ｌを垂直孔５を通って横孔５ａより櫛板４の対向空間部４ａに押し出した後、該櫛板４により梳かすことにより頭髪に塗布できるようになっている。
【０００６】
また、例えば、図４（ｂ）の拡大側断面図に示すように、各々櫛板４の対向空間部４ａの天板部３には、容器２０の開口部２１から取付用筒体部１と注出用筒体部２とに連通する塗布液注出用の垂直孔５が孔設されている。
【０００７】
容器２０から塗布液Ｌを注出して、頭髪に塗布する際は、フレキシブルな容器２０の側面を手で握り押圧するか、容器２０を傾けることにより、塗布液Ｌを垂直孔５を通って各櫛板４の対向空間部４ａに押し出した後、該櫛板４により梳かすことにより頭髪に塗布できるようになっている。
【０００８】
【発明が解決しようとする課題】
上記のような櫛付注出口１０においては、図４（ａ）に示すように塗布液Ｌが流出する最終出口である横孔５ａが、櫛板４の先端部に設けられている場合には、横孔５ａから注出した塗布液Ｌは、特に泡状液（ムース）などの場合に、櫛板４の先端部に留まってしまって、根元部分には行き届かない場合があり、したがって頭髪に塗布されない部分が生じたり、均一な塗布に支障を来す場合がある。
【０００９】
また、図４（ｂ）に示すように、垂直孔５が、櫛板４の先端部に設けられている場合には、垂直孔５から注出した塗布液Ｌは、特に泡状液（ムース）などの場合には、櫛板４の根元部分に留まってしまって、先端部分には行き届かない場合があり、頭髪に塗布されない部分が生じたり、均一な塗布に支障を来す場合がある。
【００１０】
本発明は、櫛付注出口において、塗布液注出孔の部分にのみ塗布液Ｌが滞留せずに、櫛板の各対向空間部における根元部分から先端部分まで塗布液が行き渡るようにして、頭髪に塗布されない部分が生じず、塗布ムラの無い、均一な塗布ができるようにすることにある。
【００１１】
【課題を解決するための手段】
本発明の請求項１に係る発明は、塗布液充填容器の注出用開口部に取付けられる注出用筒体部の天板部に複数枚の櫛板を対向立設した櫛付注出口において、対向立設した前記櫛板の各対向空間部内の注出用筒体部の天板部に、容器の注出用開口部に連通する塗布液注出用孔が孔設され、該注出用孔は各対向空間部の１つ置きに天板部上面より高い位置に設けられていることを特徴とする櫛付注出口である。
【００１２】
本発明の請求項２に係る発明は、塗布液充填容器の注出用開口部に取付けられる注出用筒体部の天板部に複数枚の櫛板を対向立設した櫛付注出口において、対向立設した前記各々櫛板内部又は所定の櫛板内部の立設基部から先端部に、容器の注出用開口部に連通する塗布液注出用孔が孔設され、各々櫛板は長い櫛板と短い櫛板とを１つ置きに対向立設されていることを特徴とする櫛付注出口である。
【００１３】
本発明の請求項３に係る発明は、塗布液充填容器の注出用開口部に取付けられる注出用筒体部の天板部に複数枚の櫛板を対向立設した櫛付注出口において、対向立設した前記櫛板の所定対向空間部内又は各対向空間部内の注出用筒体部の天板部と、各々櫛板内部又は所定の櫛板内部の立設基部から先端部に、容器の注出用開口部に連通する塗布液注出用孔が孔設され、各々櫛板は長い櫛板と短い櫛板とを１つ置きに対向立設されていることを特徴とする櫛付注出口である。
【００１４】
【発明の実施の形態】
本発明の請求項１に係る櫛付注出口の実施の形態を、図面に基づいて、以下に詳細に説明すれば、図１（ａ）は櫛付注出口１０の上面図、図１（ｂ）はその側面図、図１（ｃ）はその櫛付注出口１０にキャップ３０を施蓋した状態の側面図、図１（ｄ）は図１（ｂ）における櫛板部分の部分拡大側断面図、図１（ｅ）は櫛付注出口１０に施蓋するキャップ３０の拡大側断面図である。
【００１５】
図１（ａ）及び図１（ｂ）に示すように、本発明の櫛付注出口１０は、塗布液充填容器２０の注出用開口部２１に取付けられるようになっていて、注出用開口部２１に連通して取付けられる注出用筒体部２の上部を覆うように設けられた天板部３の上面に、複数枚の櫛板４、４、４、・・・が対向立設して配列されている。そして、図１（ｃ）に示すように、櫛付注出口１０は、櫛板４を覆うようにキャップ３０にて施蓋することができる。なお、天板部３の上面は、前記各櫛板４の配列された立設基部（根元）部分と他の部分が同一平面として形成されていてもよいし、図１（ａ）及び図１（ｂ）に示すように、各櫛板４の配列された立設基部（根元）部分の天板部３の上面が、他の天板部３の上面部分よりも高い段差を付けた段差天板部３ａ部分となっていてもよい。
【００１６】
また、本発明においては、容器２０の構造、形態や、櫛付注出口１０を容器２０の注出用開口部２１に取り付ける取付構造については、特に限定されるものではないが、例えば図１（ｂ）に示すように、容器２０の注出用開口部２１に螺着方式又は凹凸密着嵌合方式にて密封状態に取付可能な取付用筒体部１を備えていて、該筒体部１の上部に注出用筒体部２を備えるようにしたものでもよいし、注出用筒体部２を容器２０の注出用開口部２１に直接、螺着方式又は凹凸密着嵌合方式にて密封状態に取付可能であってもよい。
【００１７】
上記筒体部２の天板部３の上面に対向立設した櫛板４の各々対向空間部４ａ、４ａ、４ａ、・・・内における前記天板部３には、図１（ｂ）の側面図及び図１（ｄ）の櫛板部分の部分拡大側断面図に示すように、容器２０の注出用開口部２１に連通する塗布液注出用孔５が設けられ、該注出用孔５は、櫛板４の各対向空間部４ａの１つ置きに天板部３（又は段差天板部３ａ）上面より高い位置に設けられている。
【００１８】
図１（ｅ）は、キャップ３０の側断面図であり、キャップ３０内面上部から下向きに櫛板４の各々対向空間部４ａ内に嵌入して各々注出用孔５内に密に嵌着する１つ置きに設けた長短のシャフト３１先端部（又は対向空間部４ａ内に嵌入する部分は板状であって、その下端部の下向き突起状シャフト３１先端部）により施封することができる。
【００１９】
本発明の請求項２に係る櫛付注出口の実施の形態を、図面に基づいて、以下に詳細に説明すれば、図２（ａ）は櫛付注出口１０の上面図、図２（ｂ）はその側断面図、図２（ｃ）はその櫛付注出口１０にキャップ３０を施蓋した状態の側面図、図２（ｄ）は図２（ｂ）における櫛板部分の部分拡大側断面図、図２（ｅ）は櫛付注出口１０に施蓋するキャップ３０の拡大側断面図である。
【００２０】
図２（ａ）及び図２（ｂ）に示すように、本発明の櫛付注出口１０は、塗布液充填容器２０の注出用開口部２１に取付けられるようになっていて、注出用開口部２１に連通して取付けられる注出用筒体部２の上部を覆うように設けられた天板部３の上面に、長い櫛板と短い櫛板とを１つ置きに複数枚の櫛板４、４、４、・・・が対向立設して配列されている。そして、図２（ｃ）に示すように、櫛付注出口１０は、櫛板４を覆うようにキャップ３０にて施蓋することができる。なお、天板部３の上面は、前記各櫛板４の配列された立設基部（根元）部分と他の部分が同一平面として形成されていてもよいし、図２（ａ）及び図２（ｂ）に示すように、各櫛板４の配列された立設基部（根元）部分の天板部３の上面が、他の天板部３の上面部分よりも高い段差を付けた段差天板部３ａ部分となっていてもよい。
【００２１】
また、本発明においては、容器２０の構造、形態や、櫛付注出口１０を容器２０の注出用開口部２１に取り付ける取付構造については、特に限定されるものではないが、例えば図１（ｂ）に示すように、容器２０の注出用開口部２１に螺着方式又は凹凸密着嵌合方式にて密封状態に取付可能な取付用筒体部１を備えていて、該筒体部１の上部に注出用筒体部２を備えるようにしたものでもよいし、注出用筒体部２を容器２０の注出用開口部２１に直接、螺着方式又は凹凸密着嵌合方式にて密封状態に取付可能であってもよい。
【００２２】
上記筒体部２の天板部３の上面に対向立設した櫛板４の各々対向空間部４ａのうちの適宜な（例えば両端部の）対向空間部４ａ内の前記天板部３、又は全ての各々対向空間部４ａ、４ａ、４ａ、・・・内における前記天板部３には、図２（ｂ）の側断面図及び図２（ｄ）の櫛板部分の部分拡大側断面図に示すように、容器２０の注出用開口部２１に連通する塗布液注出用孔５が、必要に応じて設けられている。また、所定の（例えば内側の）櫛板４内部、又は全ての各々櫛板４内部の立設基部（立設根元）から先端部に連続して、容器２０の注出用開口部２１に連通する塗布液注出用孔５が孔設され、各々櫛板４は長い櫛板と短い櫛板とを１つ置きに対向立設している。
【００２３】
図２（ｅ）は、キャップ３０の側断面図であり、キャップ３０内面上部から下向きに設けられ、櫛板４の各々対向空間部４ａ内に嵌入して空間部４ａ内の注出用孔５内と、長短の各々櫛板４の先端部にある各々注出用孔５内とに密に嵌着する長短のシャフト３１先端部（又は対向空間部４ａ内に嵌入する部分は板状であって、その下端部の下向き突起状シャフト３１先端部）により施封することができる。
【００２４】
【発明の効果】
本発明の櫛付注出口は、従来の櫛付注出口と同様の方法で使用でき、櫛板が１つ置きに長い櫛板と短い櫛板とを対向立設して構成され、その長短それぞれ櫛板本体の内部にも注出用孔が貫設されていて、また、その櫛板の対向空間内の櫛板の立設基部にも必要に応じて注出用孔が設けられているものであり、長短それぞれ櫛板の先端部から塗布液を注出することができるので、注出用孔から注出する塗布液を、櫛板の各対向空間部における櫛板の根元部分の立設基部から先端部分まで行き渡らせることができる。
【００２５】
また、櫛板の立設基部にも注出用孔を設けることにより、塗布液を櫛板の根元から先端部の対向空間部内に行き渡らせることができ、頭髪に対して整髪料や毛染め液などの塗布液の塗布されない部分が生じたり、塗布ムラを発生させたりせずに、均一な塗布を可能とする櫛付注出口を提供できる。
【図面の簡単な説明】
【図１】（ａ）は本発明の一実施の形態における櫛付注出口の上面図、（ｂ）はその側面図、（ｃ）は櫛付注出口を施蓋した状態の側面図、（ｄ）は櫛板部分の部分拡大側断面図、（ｅ）はキャップの側断面図。
【図２】（ａ）は本発明の他の実施の形態における櫛付注出口の上面図、（ｂ）はその部分側断面図、（ｃ）は櫛付注出口を施蓋した状態の側面図、（ｄ）は櫛板部分の部分拡大側断面図、（ｅ）はキャップの側断面図。
【図３】従来の櫛付注出口の側面図。
【図４】従来の櫛付注出口の部分拡大側面図。
【符号の説明】
１…取付筒体部　１ａ…取付筒体部の上部　２…注出用筒体部　３…天板部
３ａ…段差天板部　４…櫛板　４ａ…対向空間部　５…注出孔
１０…櫛付注出口　２０…容器　２１…容器の注出用開口部　３０…キャップ
【図１】
2004024776.tif 000003
【図２】
2004024776.tif 000004
【図３】
2004024776.tif 000005
【図４】
2004024776.tif 000006